(57)【特許請求の範囲】
【請求項１】
スライドドア、引出し等のための引き込み装置であって、それぞれ間接的又は直接的に受容部（４０）に作用する緩衝装置とばね（６０）とを有しており、前記受容部（４０）が、引き込み位置と自由走行位置との間で可動である形式のものにおいて、
前記緩衝装置が２つのダンパ（３０）を有しており、これらのダンパの緩衝作用が直列的に受容部（４０）に作用し、
前記ダンパ（３０）が移動可能な調節部材（２０）に結合されていることを特徴とする、スライドドア、引出し等のための引き込み装置。
【請求項２】
スライドドア、引出し等のための引き込み装置であって、それぞれ間接的又は直接的に受容部（４０）に作用する緩衝装置とばね（６０）とを有しており、前記受容部（４０）が、引き込み位置と自由走行位置との間で可動である形式のものにおいて、
前記緩衝装置が２つのダンパ（３０）を有しており、これらのダンパの緩衝作用が並列的に受容部（４０）に作用し、
前記ダンパ（３０）が、１つのシリンダと、該シリンダ内で移動可能な１つのピストンとを備えた流体ダンパとして形成されており、前記ピストンに、それぞれ１つのピストンロッド（３１）が結合されており、ダンパ（３０）のこれらのピストンロッド（３１）が、それぞれ同じ方向に作用することを特徴とする、スライドドア、引出し等のための引き込み装置。
【請求項３】
前記調節部材（２０）が、ケーシング（１０）のスライドガイド（１４）内で直線的に移動可能である、請求項１記載の引き込み装置。
【請求項４】
前記ダンパ（３０）が、１つのシリンダと、該シリンダ内で移動可能な１つのピストンとを備えた流体ダンパとして形成されており、前記ピストンに、それぞれ１つのピストンロッド（３１）が結合されており、ダンパ（３０）のこれらのピストンロッド（３１）が、それぞれ逆方向に移動可能である、請求項１又は３記載の引き込み装置。
【請求項５】
前記ピストンロッド（３１）が互いに平行に移動可能である、請求項４記載の引き込み装置。
【請求項６】
一方のダンパ（３０）が受容部（４０）に結合されており且つ他方のダンパ（３０）がケーシング側のホルダ（１５）に結合されている、請求項１又は３から５までのいずれか１項記載の引き込み装置。
【請求項７】
両ダンパ（３０）が、旋回軸受け（３３）を介して受容部（４０）に結合されている、請求項２記載の引き込み装置。
【請求項８】
前記受容部（４０）が、ガイド（１２）内で引き込み位置と自由走行位置との間で移動可能であり、前記ガイド（１２）が停止区分（１２．２）を有しており、該停止区分内で受容部（４０）が、その引き込み位置における向きに対して傾動されている、請求項１から７までのいずれか１項記載の引き込み装置。
【請求項９】
単数若しくは複数のダンパ（３０）が、回転支承されて受容部（４０）に結合されており、ばね（６０）が、前記軸受け（３３）に対して間隔を置いて受容部（４０）に結合されている、請求項１から８までのいずれか１項記載の引き込み装置。
【請求項１０】
複数の同じ構成のダンパ（３０）が使用されている、請求項１から９までのいずれか１項記載の引き込み装置。
【発明の詳細な説明】
【技術分野】
【０００１】
本発明は、スライドドア、引出し等のための引き込み装置であって、それぞれ間接的又は直接的に受容部に作用する緩衝装置とばねとを有しており、前記受容部が、引き込み位置と自由走行位置との間で可動である形式のものに関する。
【０００２】
このような引き込み装置は、Ａ７６６／８９号明細書から公知である。この明細書において引き込み装置は、引出しを閉鎖位置に引き込むために使用される。この場合、引き込み装置は、その閉鎖運動の最終部分において引出しに作用して、ばねが引出しを引き込む。この場合に引出しの閉鎖位置での激しい衝突を防止するために、緩衝装置がばねの作用方向とは逆に作用する。引き込み装置は、例えばスライドドアにも使用され、この場合、スライドドアは閉鎖位置に引き込まれる。運動されるユニット（引出し、スライドドア等）が大きな質量を有している場合には、比較的短い緩衝距離で運動エネルギを確実に低下させるために、緩衝装置は大きな緩衝力を供給する必要がある。
【０００３】
但しこのことは、運動されるユニットが突如制動されるということを生ぜしめ、このことは故障に感じられる。従って、緩衝装置で用いられるダンパの緩衝距離を延長することに転じた。しかしこのことは、この場合に生じる機械的な不安定さに基づき、ダンパの故障をもたらした。ダンパの比較的大規模な寸法決めは、スペース上の理由から好ましくない。
【０００４】
本発明の課題は、冒頭で述べた形式の引き込み装置を改良して、運動される大きな質量を有する構成ユニットをも確実に緩衝し且つ引き込むことができる引き込み装置を提供することであり、しかも、この場合は供与可能な狭い構成空間容積が考慮されている。
【０００５】
この課題は、本発明の第１の構成に基づき、緩衝装置が２つのダンパを有しており、これらのダンパの緩衝作用が直列的に受容部に作用することによって解決される。
【０００６】
２つのダンパは即ち、これらのダンパの供与可能な緩衝距離が少なくとも部分的に加算されるように、受容部に作用する。これにより、全体的な緩衝距離が延長される。従って、運動される構成ユニットの制動が比較的長い距離にわたって行われ、延いては運動エネルギが連続的に低下され得る。ダンパとしては、小型の安定した構成ユニットが使用可能である。これにより、システム全体の十分な機械的安定性も、許容構成空間限度を超えることなく保証され得る。
【０００７】
本発明の有利な１構成では、ダンパは移動可能な調節部材に結合されている。この調節部材を介して、２つのダンパを簡単に確実に互いに結合することができる。この場合、調節部材がケーシングのスライドガイド内で直線的に移動可能であると、このスライドガイドを介して調節部材延いては緩衝装置全体が、付加的に機械的に安定化される。
【０００８】
本発明の特に有利な１構成は、前記ダンパが１つのシリンダと、該シリンダ内で移動可能な１つのピストンとを備えた流体ダンパの形で形成されており、前記ピストンにピストンロッドが結合されており、ダンパのピストンロッドが、それぞれ逆方向に移動可能であることを特徴としている。前記ダンパは、既に信頼性のある構成部材として使用されており且つ廉価に取り寄せることができる。更に、ピストンロッドの規定された移動運動を以て、簡単な構成形式が実現され得る。この場合、前記ピストンロッドは互いに平行に移動可能であるということが規定されていてよい。
【０００９】
受容部とケーシングとの間の確実な力伝達は、一方のダンパが受容部に結合され且つ他方のダンパがケーシング側のホルダに結合されていることによって達成され得る。
【００１０】
本発明の第２の構成では、緩衝装置が２つのダンパを有しており、これらのダンパの緩衝作用が並列的に受容部に作用する。この構成では、ダンパの緩衝作用が加算され、これにより引き込み装置の構成空間が著しく拡大されることはない。特に、ダンパは供与可能な構成空間の幾何学形状に関連して、この構成空間が最適に利用されているように、相対して並べられる。
【００１１】
簡単且つ機械的に安定した構造は、前記ダンパが１つのシリンダと、該シリンダ内で移動可能な１つのピストンとを備えた流体ダンパの形で形成されており、前記ピストンにそれぞれピストンロッドが結合されており、これらのダンパのピストンロッドが、それぞれ同じ方向に作用するようになっており、更に、両ダンパが旋回軸受けを介して受容部に結合されていることによって得られる。
【００１２】
本発明による引き込み装置において受容部の確実な機能を保証するためには、受容部がガイド内で、引き込み位置と自由走行位置との間を移動可能であり、前記ガイドが停止区分を有しており、該停止区分では受容部が、その引き込み位置における向きに対して傾動されているということが考えられる。
【００１３】
単数のダンパ若しくは複数のダンパが回転支承されて受容部に結合されており、ばねが軸受けに対して間隔を置いて受容部に結合されている場合は、受容部に回転モーメントが作用する。この回転モーメントは、受容部を自由走行位置に運動させるために利用され得る。部品コストを低下させるためには、同じ構成のダンパが使用されるということが規定されていてよい。
【図面の簡単な説明】
【００１４】
【図１】引き込み装置の第１実施形態の斜視図である。
【図２】図２から図４は、図１に示した引き込み装置を複数の機能位置で且つそれぞれ側面から見た図である。
【図３】図２から図４は、図１に示した引き込み装置を複数の機能位置で且つそれぞれ側面から見た図である。
【図４】図２から図４は、図１に示した引き込み装置を複数の機能位置で且つそれぞれ側面から見た図である。
【図５】引き込み装置の第２実施形態の斜視図である。
【図６】図６及び図７は、図５に示した引き込み装置を複数の機能位置で且つそれぞれ側面から見た図である。
【図７】図６及び図７は、図５に示した引き込み装置を複数の機能位置で且つそれぞれ側面から見た図である。
【００１５】
以下に、本発明の実施形態を図面につき詳しく説明する。
【００１６】
図１には、ケーシング１０を備えた引き込み装置が示されている。このケーシング１０は側壁１１を有しており、この側壁１１には全面的に壁部材が続いている。側壁１１と壁部材とは収容室を取り囲んでおり、この収容室は、カバー（図示せず）によって閉鎖可能である。この場合、このカバーは側壁１１に対して平行に位置する壁を有している。カバーとケーシング１０とは、互いに整合するねじ取付け部１６を有している。このねじ取付け部１６を通して固定ねじを貫通案内して、引き込み装置をボデー、引出し、スライドドア等の壁にねじ締結することができる。
【００１７】
ケーシング１０の収容室には、緩衝装置が組み込まれている。この緩衝装置は、調節部材２０と、２つの同一のダンパ３０とを有している。調節部材２０は、ケーシング１０内を直線的に移動可能なキャリッジの形で構成されている。このためには、ケーシング１０にスライドガイド１４が装備されている。このスライドガイド１４は、側壁１１と、カバーの壁と、ケーシング１０の上側の水平方向縁部と、ばね収容部１３を制限する壁１３．２とから形成される。これらの構成部材に沿って、調節部材２０がガイド面で以て滑動可能である。
【００１８】
図１から更に判るように、調節部材２０は２つの差込み収容部２１を備えて構成されている。これらの差込み収容部２１には、ダンパ３０の円筒の円筒形の外側輪郭を差し込むことができる。前記円筒は、各１つの周方向の溝３４を有しており、これらの溝３４において前記円筒は軸方向で移動不能に調節部材に固定されている。ダンパ３０はピストンロッド３１を有しており、このピストンロッド３１はピストンに結合されている。このピストンは、円筒内室において空気体積に抗して直線的に移動可能である。ピストンロッド３１は、端部側に引っ掛け部３２を有しており、これらの引っ掛け部３２は、材料圧縮部の形でピストンロッド３１に一体成形されている。図２から判るように、下側のダンパ３０は、その引っ掛け部３２で以てホルダ１５内に固定されている。上側のダンパ３０は、その引っ掛け部３２で以て回転支承されて受容部４０に接続されている。
【００１９】
この受容部４０は、プラスチック射出成形部材として形成されており且つ２つのストッパ４１，４３を有している。ストッパ４３は、受容部４０のばね部材４２に固定されている。受容部４０は、ブラケットに係止片４４を支持している。更に、受容部４０にはばね掛け部４５が装備されており、このばね掛け部４５には、ばね６０の端部側を掛け込むことができる。コイルばねとして形成されたばね６０の他方のばね端部は、ケーシング１０のばね掛け部１３．１に位置固定されており、この場合、ばね６０はばね収容部１３内に配置されている。軸受け３３の領域において、受容部４０の両側にはジャーナル４６が装備されている。これらのジャーナル４６は、ガイド１２に係合している。このガイド１２には、直線区分１２．１と停止区分１２．２とが装備されており、これらの領域は、曲げられた溝によって形成されており、この溝は、側壁１１と、対向位置するカバーの壁とに、同じ構成で鏡像対称的に設けられている。前記ガイド１２には、ジャーナル４６と、受容部４０の両側に配置された係止片４４とが係合している。
【００２０】
図２には、引き込み装置の引き込み位置が示されている。この場合、スライドドア（図示せず）が連行子５１によって閉鎖位置で保持される。この連行子５１は、スライドドアに固定された取付け金具５０の部分である。引き込み装置はボデー側、例えば戸棚に取り付けられている。
【００２１】
もちろん、これらの構成部材が入れ替えられて取り付けられていてもよい。
【００２２】
今、スライドドアが図２に示した引き込み位置から出発して開かれると、連行子５１はドアと一緒に図平面内で右側に向かって移動し且つ受容部４０のストッパ４３を連行する。この場合、係止片４４とジャーナル４６とは、ガイド１２内を滑動する。ばね６０は緊張され、ピストンロッド３１は図３に示した機能位置に到達するまで、それぞれ逆方向で各シリンダから引き出される。
【００２３】
次いで、係止片４４が、直線区分１２．１と停止区分１２．２との移行領域に形成されたガイド領域１２．３（本実施形態ではガイド縁部）を通過する。ばね６０は、軸受３３に対して間隔を置いて受容部４０に作用するので、時計回り方向の回転モーメントが生ぜしめられる。
【００２４】
この回転モーメントは受容部４０を、図４に示した自由走行位置に傾動させる。このことが可能になるのは、ジャーナル４６が直線区分１２．１内で回動され得、且つ係止片４４がこの回動を最早阻止しないからである。傾動された位置で、受容部４０は係止片４４により引き込み方向に対して形状接続的に停止区分１２．２内でロックされる。この場合、連行子５１は図４に示したように、ドアが開かれるまで自由走行状態となる。
【００２５】
ドアの閉鎖に際して、このドアは連行子５１がストッパ４１にぶつかるまで、自由走行状態で移動され得る。ストッパ４１はジャーナル４６の支承部に対して偏心的に位置しているので、係子片４４は連行子５１の衝突時に停止区分１２．２から持ち上げられる（図３参照）。この場合、ストッパ４３が連行子５１の背後から係合する。次いでばね６０が連行子５１を、受容部４０を介して引き込み位置に向かって引っ張る。同時に、ダンパ３０が作動する。これらのダンパ３０は、ばね６０の引っ張り運動を制動する。図２に示した引き込み位置でもやはり、ダンパ３０は圧力フリーに調節されている。
【００２６】
図５〜図７には、本発明の択一的な１構成が示されている。図１〜図４では、ダンパ３０が直列に接続されており、従って緩衝距離が加算され且つ緩衝率はほぼ、個々のダンパ３０の緩衝率に相当するのに対して、図５〜図７では緩衝率が加算され且つ緩衝距離は、個々のダンパ３０の緩衝距離に相当する。
【００２７】
図６に示したように、図１〜図４に示したケーシング構成にほぼ相当するケーシング１０が、やはり使用されている。
【００２８】
側壁１１とカバーの壁とには、やはり同じガイド１２が組み込まれている。ばね収容部１３には同じばね６０が挿入されている。同じ構成部材を表す符号の説明に関しては、上記説明を参照されたい。ケーシング１０の収容部１７には、２つの同一構成のダンパ３０が挿入される。下側のダンパ３０の溝３４は、ケーシング１０のホルダ１８によって軸方向で移動不可能に保持されている。
【００２９】
上側のダンパ３０は、右側に向かって直線的に移動され得る。これらのダンパ３０は、図１〜図４に示したダンパ３０に相当する。ダンパ３０は、そのピストンロッド３１の引っ掛け部３２で以て、各１つの軸受け３３を介して受容部４０に連結されている。この場合、この受容部４０は引っ掛け部３２の支承孔に整合する支承孔を有している。この支承孔には軸受け３３を形成するための支承ピンが差し込まれており、この支承ピンは一方の支承孔に押し込まれており且つ他方の支承孔内で回転可能である。
【００３０】
受容部４０は、その機能及び作用形式において、図１〜図４に示した受容部４０に相当する。ジャーナル４６の代わりに軸受け３３の支承ピンが、ガイド１２内を案内される。ばね部材４２はアーム４７により、前記受容部４０のブラケットに比べて安定化されている。
【００３１】
機能形式は、図１〜図４に示した機能形式に等しいが、但し、緩衝装置の機能は相違している。ドアの開放に際して、受容部４０は右側に向かって移動され、ピストンロッド３１が並列して引き出される。図７に示したように、ガイド領域１２．３を通過した後で、受容部４０は自由走行位置へ傾動して、やはり連行子５１を解放する。受容部４０の回動は、下側のダンパ３０の軸受け３３の回転軸線を中心として行われるので、上側のダンパ３０は、ケーシング１０内で１区間だけ遠くに直線移動され、このことはダンパ３０の構成が同一であることに基づき不可欠である。ドアの閉鎖運動及び連行子５１の引き込みは、図１〜図４と同様に行われるが、両ダンパ３０が並列に接続されており且つ同時緩衝式で受容部４０に作用するという点で相違している。
【図１】
0005404796.tif 000002
【図２】
0005404796.tif 000003
【図３】
0005404796.tif 000004
【図４】
0005404796.tif 000005
【図５】
0005404796.tif 000006
【図６】
0005404796.tif 000007
【図７】
0005404796.tif 000008